(57)【要約】【課題】  移動通信端末において、確実にデータを受信する。【解決手段】  携帯電話機１０は、移動体通信、及び電子データを格納することができる情報ボード２０との近距離無線通信が可能ある端末であり、データ送信サーバ３０から送信されたデータのデータ量が所定の値を超えているか否か判断するデータ量判断部１０３と、当該判断等に基づいて送信されたデータの受信を中止する制御を行う受信中止制御部１０４と、自端末の位置情報を取得する位置情報取得部１０５と、取得された位置情報に基づいて情報ボード２０との近距離無線通信による接続を確立する接続部１０６と、当該接続が確立された場合、データの送信のリクエストをデータ送信サーバ３０へ送信するリクエスト送信部１０７と、当該リクエストに応じてデータ送信サーバ３０から送信されたデータを前記記憶装置に転送するデータ転送部１０８とを備える。【選択図】  図１
2006025262.tif 000002
【特許請求の範囲】
【請求項１】
移動体通信、及び電子データを格納することができる記憶装置との近距離無線通信が可能な移動通信端末であって、
前記移動体通信により所定の送信元から送信されたデータのデータ量に関する情報を取得して、当該データ量が所定の値を超えているか否か判断するデータ量判断手段と、
当該判断が前記所定の値を超えているとされ、かつ前記記憶装置との近距離無線通信が確立されていない場合、前記送信されたデータの受信を中止する制御を行う受信中止制御手段と、
自端末の位置情報を取得する位置情報取得手段と、
当該取得された位置情報により特定される自端末の位置が前記記憶装置との近距離無線通信が可能となるような予め設定された条件を満たすか否かを判断し、当該判断結果に基づいて前記記憶装置との近距離無線通信による接続を確立するように制御する接続手段と、
当該制御により接続が確立された場合、前記受信中止制御手段により受信を中止する制御が行われたデータの送信のリクエストを前記所定の送信元に送信するリクエスト送信手段と、
当該リクエストに応じて前記所定の送信元から送信されたデータを前記記憶装置に転送するデータ転送手段と、
を備える移動通信端末。
【請求項２】
前記受信中止制御手段により前記データの受信が中止される場合に、前記送信されたデータに含まれる、当該データのサマリ情報を受信する要約受信手段を更に備える請求項１に記載の移動通信端末。
【請求項３】
前記位置取得手段による位置情報の取得は、ＧＰＳによる情報と、移動体通信網における基地局の情報とを取得することにより行われる、請求項１又は２に記載の移動通信端末。
【請求項４】
記憶装置と、当該記憶装置との近距離無線通信が可能な移動通信端末とを含んで構成される情報記憶システムであって、
前記移動通信端末は、
前記移動体通信により所定の送信元から送信されたデータのデータ量に関する情報を取得して、当該データ量が所定の値を超えているか否か判断するデータ量判断手段と、
当該判断が前記所定の値を超えているとされ、かつ前記記憶装置との近距離無線通信が確立されていない場合、前記送信されたデータの受信を中止する制御を行う受信中止制御手段と、
自端末の位置情報を取得する位置情報取得手段と、
当該取得された位置情報により特定される自端末の位置が前記記憶装置との近距離無線通信が可能となるような予め設定された条件を満たすか否かを判断し、当該判断結果に基づいて前記記憶装置との近距離無線通信による接続を確立するように制御する接続手段と、
当該制御により接続が確立された場合、前記受信中止制御手段により受信を中止する制御が行われたデータの送信のリクエストを前記所定の送信元に送信するリクエスト送信手段と、
当該リクエストに応じて前記所定の送信元から送信されたデータを前記記憶装置に転送するデータ転送手段と、
を備える情報記憶システム。
【発明の詳細な説明】
【技術分野】
【０００１】
本発明は、移動通信端末及び当該移動通信端末を含んで構成される情報記憶システムに関する。
【背景技術】
【０００２】
従来から、端末に送信されるデータの量に対して端末の記憶装置の空き容量が不十分な場合にデータの受信を中止するなど、端末に送信されるデータの量に基づいてデータの受信の可否を決定するという技術が提案されている（例えば、下記特許文献１参照）。
【特許文献１】特開平１１−３３１５３１号公報
【発明の開示】
【発明が解決しようとする課題】
【０００３】
しかし、上述の技術においては、中止したデータの受信に関して、十分な空き容量を確保した上で再度送信先にデータ送信のリクエストを送る等の再度の操作が必要となっていた。また、携帯電話機等のデータの記憶容量の小さい移動通信端末では、記憶容量に対して大きいデータを送信されることが多い。
【０００４】
そこで、本発明は、移動通信端末に送信されるデータの量に対して、自端末の記憶装置の空き容量が不十分な場合等であっても、確実にデータを受信することができる移動通信端末及び情報記憶システムを提供することを目的とする。
【課題を解決するための手段】
【０００５】
本発明の移動通信端末は、移動体通信、及び電子データを格納することができる記憶装置との近距離無線通信が可能な移動通信端末であって、移動体通信により所定の送信元から送信されたデータのデータ量に関する情報を取得して、当該データ量が所定の値を超えているか否か判断するデータ量判断手段と、当該判断が所定の値を超えているとされ、かつ記憶装置との近距離無線通信が確立されていない場合、送信されたデータの受信を中止する制御を行う受信中止制御手段と、自端末の位置情報を取得する位置情報取得手段と、当該取得された位置情報により特定される自端末の位置が記憶装置との近距離無線通信が可能となるような予め設定された条件を満たすか否かを判断し、当該判断結果に基づいて記憶装置との近距離無線通信による接続を確立するように制御する接続手段と、当該制御により接続が確立された場合、受信中止制御手段により受信を中止する制御が行われたデータの送信のリクエストを前記所定の送信元に送信するリクエスト送信手段と、当該リクエストに応じて前記所定の送信元から送信されたデータを記憶装置に転送するデータ転送手段と、を備える。
【０００６】
本発明の移動通信端末では、データ量が大きく、自端末に備えられるデータ格納手段に格納できないデータの受信を中止する制御を行うことができ、自端末が記憶装置との近距離無線通信が可能な位置にあることを検出して当該近距離無線通信による接続を確立し、リクエストに応じて再度送信された上記のデータを当該記憶装置に転送することができる。従って、本発明の移動通信端末によれば、自端末の記憶装置の空き容量が送信されたデータに対して不十分な場合等であっても、確実にデータを受信することができる。
【０００７】
移動通信端末は、受信中止制御手段によりデータの受信が中止される場合に、送信されたデータに含まれる、当該データのサマリ情報を受信する要約受信手段を更に備えることが好ましい。この構成によれば、移動通信端末のユーザがこのサマリ情報を参照することにより、受信が中止されたデータの概要を知ることができる。
【０００８】
位置取得手段による位置情報の取得は、ＧＰＳ（Ｇｌｏｂａｌ  Ｐｏｓｉｔｉｏｎｉｎｇ  Ｓｙｓｔｅｍ）による情報と、移動体通信網における基地局の情報とを取得することにより行われることが好ましい。この構成によれば、近距離無線通信確立のための位置情報が確実に取得することができ、より確実にデータを受信することができる。
【０００９】
ところで、本発明は、上記のように移動通信端末の発明として記述できる他に、以下のように情報記憶システムの発明としても記述することができる。これはカテゴリーが異なるだけで、実質的に同一の発明であり、同様の作用・効果を奏する。
【００１０】
本発明の移動通信端末は、記憶装置と、当該記憶装置との近距離無線通信が可能な移動通信端末とを含んで構成される情報記憶システムであって、移動通信端末は、移動体通信により所定の送信元から送信されたデータのデータ量に関する情報を取得して、当該データ量が所定の値を超えているか否か判断するデータ量判断手段と、当該判断が所定の値を超えているとされ、かつ記憶装置との近距離無線通信が確立されていない場合、送信されたデータの受信を中止する制御を行う受信中止制御手段と、自端末の位置情報を取得する位置情報取得手段と、当該取得された位置情報により特定される自端末の位置が記憶装置との近距離無線通信が可能となるような予め設定された条件を満たすか否かを判断し、当該判断結果に基づいて記憶装置との近距離無線通信による接続を確立するように制御する接続手段と、当該制御により接続が確立された場合、受信中止制御手段により受信を中止する制御が行われたデータの送信のリクエストを所定の送信元に送信するリクエスト送信手段と、当該リクエストに応じて所定の送信元から送信されたデータを記憶装置に転送するデータ転送手段と、を備える。
【発明の効果】
【００１１】
本発明では、取得した自端末の位置情報に基づき記憶装置との近距離無線通信による接続を確立して受信するデータを転送するので、自端末の記憶装置の空き容量が不十分な場合等であっても、確実にデータを受信することができる。
【発明を実施するための最良の形態】
【００１２】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１３】
図１に、本実施形態に係る携帯電話機１０（移動通信端末）及び携帯電話機１０を含んで構成される情報記憶システム１の構成を示す。携帯電話機１０は、情報ボード２０（記憶装置）と近距離無線通信によるデータの送受信を行うことができる。また、携帯電話機１０は、データ送信サーバ３０と移動体通信によるデータの送受信が可能である。携帯電話機１０は、具体的にはＣＰＵ及びメモリ等から構成されている。携帯電話機１０の各機能については後述する。
【００１４】
情報ボード２０は、電子データを格納することができ、その電子データの内容（テキスト及び画像等）を情報ボード２０に備えられるモニター等の表示装置への表示が可能な装置である。ユーザは表示されたものを見ることによって、電子データの内容を知ることができる。情報ボード２０は、通常、携帯電話機１０のユーザの自宅等に固定的に設置されている。情報ボード２０と携帯電話機１０との間の近距離無線通信は、具体的には、赤外線によるもの（具体的な規格としては、ＩｒＤＡ（Ｉｎｆｒａｒｅｄ  Ｄａｔａ  Ａｓｓｏｃｉａｔｉｏｎ）やＩｒＭＣ（ＩｒＤＡ  Ｉｎｆｒａｒｅｄ  Ｍｏｂｉｌｅ  Ｃｏｍｍｕｎｉｃａｔｉｏｎ）がある）や電波によるもの（具体的な規格としてはＢｌｕｅｔｏｏｔｈがある）を用いるのが好ましい。
【００１５】
データ送信サーバ３０は、移動体通信により携帯電話機１０に様々なデータを送信するサーバである。送信される情報としては、例えば、携帯電話機１０のユーザに対応した様々なサービスの情報がある。具体的には、携帯電話機１０のユーザに関する健康管理情報、冷蔵庫の在庫管理や料理指導に関する情報、携帯電話機１０のユーザに特化したニュースの情報等が相当する。
【００１６】
引き続いて、携帯電話機１０の各機能について説明する。図１に示すように、携帯電話機１０は、送受信部１０１と、データ格納部１０２と、データ量判断部１０３（データ量判断手段）と、受信中止制御部１０４（受信中止制御手段）と、位置情報取得部１０５（位置情報取得手段）と、接続部１０６（接続手段）と、リクエスト送信部１０７（リクエスト送信手段）と、データ転送部１０８（データ転送手段）と、要約受信部１０９（要約受信手段）とを備える。
【００１７】
送受信部１０１は、移動体通信によるデータの送受信を行う部分である。送受信部１０１により受信されたデータは、データ格納部１０２に送信される。
【００１８】
データ格納部１０２は、送受信部１０１により受信されたデータを格納する部分である。データ格納部１０２は一定の容量を有しており、その容量をこえるデータ量のデータは格納することができない。
【００１９】
データ量判断部１０３は、送受信部１０１により受信されたデータのデータ量に関する情報を取得して、当該データ量が所定の値を超えているか否か判断する部分である。具体的には、送信されるデータのうちデータ量に関する情報のみを受信し、その情報を参照することにより判断を行う。取得するデータ量に関する情報としては、例えばバイト単位の数値の情報であることが好ましい。ここで、所定の値とは、送信されたデータを受信できるか否かを判定するための閾値であることが好ましい。例えば、データ格納部１０２に、例えば１ＫＢのサイズの特定領域を設けておき、その１ＫＢを所定の値とするのがよい。また、データ格納部１０２の空き領域を所定の値としてもよい。データ量判断部１０３により、データ量が所定の値を超えていると判断された場合、その旨の情報を受信中止制御部１０４に送信する。
【００２０】
受信中止制御部１０４は、一定の条件を満たす場合、送受信部１０１に対して、データの受信を中止する制御を行う部分である。上記の一定の条件については後述する。データの受信が中止された場合、その旨の情報を位置情報取得部１０５に送信し、位置情報取得部１０５による位置取得のトリガとするのが好ましい。
【００２１】
位置情報取得部１０５は、自端末の位置情報を取得する部分である。当該取得は、例えばＧＰＳ衛星からのＧＰＳ情報を取得し、そのＧＰＳ情報に基づいて自端末の緯度及び経度を割り出すことにより行われることが好ましい。また、移動体通信網における、自端末と交信を行う基地局の情報、例えば基地局を特定するＩＤ等を取得し、その情報を位置情報（どの基地局の付近にいるかという情報）として用いることが好ましい。上記、２つの方法は両方が同時に用いられることが好ましい。その場合、自端末の位置情報としては、緯度、経度及び基地局それぞれの情報が用いられる。また、上記以外の方法でも、例えば携帯電話機１０にＲＦＩＤ（Ｒａｄｉｏ  Ｆｒｅｑｕｅｎｃｙ  Ｉｄｅｎｔｉｆｉｃａｔｉｏｎ）タグリーダが備えられている場合は、ＲＦＩＤタグを用いたシステムにより、より精度の高い位置情報を取得することとしてもよい。
【００２２】
接続部１０６は、取得された位置情報により特定される自端末の位置が予め設定された条件を満たすか否かを判断し、当該判断結果に基づいて情報ボード２０との近距離無線通信による接続を確立するように制御する部分である。ここで、上記の条件は、携帯電話機１０が情報ボード２０との近距離無線通信が可能となるような条件であるものとする。例えば、近距離無線通信による接続が確立されている状態の位置情報を予め取得しておき、位置情報取得部１０５により取得された位置情報が、予め取得された位置情報と一致するという条件を用いることが好ましい。携帯電話機１０と情報ボード２０との間の近距離無線通信においては、それぞれの装置に予め認識コードの登録を行っておき、接続時にその認識コードによりそれぞれの装置を認識するようにしておくことが好ましい。
【００２３】
リクエスト送信部１０７は、接続部１０６により近距離無線通信による接続が確立された場合、受信中止制御部１０４により受信を中止する制御が行われたデータの送信のリクエストを、データの送信元であるデータ送信サーバ３０に送信する部分である。リクエスト対象となるデータの特定は、例えば受信中止制御部１０４により受信が中止されたときに、データを特定する情報を取得しておくこと等により行われることが好ましい。
【００２４】
データ転送部１０８は、上記リクエストにより応じてデータ送信サーバ３０から送信されたデータを、接続部１０６により確立された接続により、情報ボード２０に転送する部分である。
【００２５】
要約受信部１０９は、受信中止制御部１０４によりデータの受信が中止される場合に、送信されたデータに含まれる当該データのサマリ情報を受信する部分である。
【００２６】
なお、携帯電話機１０のこれらの機能は、携帯電話機１０により実行されるアプリケーションプログラムにより実行されることが好ましい。携帯電話機１０の記憶容量よりも大きいデータを送信するデータ送信サーバ３０が複数存在している場合、そのデータ送信サーバ３０に対応するアプリケーションプログラムを用意することにより、データ送信サーバ３０に対応した本発明の処理を行うことができる。
【００２７】
以下、図２のフローチャートを用いて、本実施形態における携帯電話機１０により実行される処理を説明する。本処理は、データ送信サーバ３０から携帯電話機１０にデータが送信される場合に行われる。このデータ送信は、例えば上述したようなデータ提供サービスにおいては、そのサービスに応じて随時行われる。
【００２８】
まず、データ量判断部１０３が送信されたデータのデータ量に関する情報を取得する（Ｓ０１）。続いて、データ量判断部１０３は、当該データ量が所定の値を超えているか否か判断する（Ｓ０２）。当該データ量が所定の値を超えていないと判断されたときは、送受信部１０１により当該データの受信がなされる（Ｓ０３）。受信されたデータは、データ格納部１０２に格納される。
【００２９】
当該データ量が所定の値を超えていると判断されたとき、携帯電話機１０と情報ボード２０との間で接続が確立されているか否かで次のように処理が分かれる（Ｓ０４）。接続が確立されている場合は、当該データを受信し、そのデータを情報ボード２０に転送する（Ｓ１０）。接続が確立されていない場合は、受信中止制御部１０４が、送受信部１０１に対してデータの受信を中止する制御を行う（Ｓ０５）。データの受信を中止する際に、要約受信部１０９が、送信されたデータに含まれる当該データのサマリ情報を受信することとするのが好ましい。サマリ情報を携帯電話機１０の表示装置に表示させること等により、ユーザがデータの概要を知ることができる。
【００３０】
続いて、位置情報取得部１０５が、自端末の位置情報を取得する（Ｓ０６）。続いて、接続部１０６が、取得された位置情報により特定される自端末の位置が、上述した条件を満たすかどうか判断する（Ｓ０７）。条件を満たさないと判断された場合は、再度位置情報を取得する（Ｓ０６）。この位置情報の取得は、例えば３０分毎や予め設定された時刻等のタイミングで行われることが好ましい。
【００３１】
条件を満たすと判断された場合は、接続部１０６が、情報ボード２０と近距離無線通信による接続を確立するように制御する（Ｓ０８）。接続が確立されたことをユーザが認識できるよう、情報ボード２０から携帯電話機１０の表示装置に表示される情報（例えば「おかえりなさい」等の内容）を送信することが好ましい。当該制御により接続が確立されると、リクエスト送信部１０７が、リクエスト送信部１０７は、Ｓ０５にて受信を中止したデータを送信してもらうよう、リクエストをデータ送信サーバ３０に送信する（Ｓ０９）。続いて、当該リクエストに応じてデータ送信サーバ３０から送信されたデータを送受信部１０１により受信し、データ転送部１０８がそのデータを情報ボード２０に転送する（Ｓ１０）。
【００３２】
上記により、本実施形態に係る携帯電話機１０によれば、自端末の記憶装置の空き容量が送信されたデータに対して不十分な場合等であっても確実にデータを受信することができる。また、本実施形態のように、ＧＰＳ情報及び基地局に関する情報を取得する位置情報とすることにより、近距離無線通信確立のための位置情報が確実に取得することができ、より確実にデータを受信することができる。
【図面の簡単な説明】
【００３３】
【図１】実施形態に係る携帯電話機の構成を示す図である。
【図２】実施形態において携帯電話機で実行される処理を示すフローチャートである。
【符号の説明】
【００３４】
１…情報記憶システム、１０…携帯電話機、１０１…送受信部、１０２…データ格納部、１０３…データ量判断部、１０４…受信中止制御部、１０５…位置情報取得部、１０６…接続部、１０７…リクエスト送信部、１０８…データ転送部、１０９…要約受信部、２０…情報ボード、３０…データ送信サーバ。
【図１】
2006025262.tif 000003
【図２】
2006025262.tif 000004